(57)【特許請求の範囲】
【請求項１】
ベースの一方の側面に取り付けられた複数のガイドピンと、ベースの一方の側面に取り付けられたレバーを起こすことで引き寄せられるベースの他の一方の内側に設けられた可動式ブラケットに取り付けられた複数のガイドピンとが、ユニット側面のネジ穴に水平に入り込むことにより、ユニットがベースの内面と可動式ブラケットによって固定するとともに、ベースの一方の側面にユニットを下方向から受けるように設けられた支持曲げとベースの他の一方の側面にユニットを下方向から受けるようにも受けられた支持台によりユニットを下方向で固定することを特徴とするユニット固定機構。
【請求項２】
前記レバーを戻すことによりバネの縮む力で前記可動式ブラケットが元の位置へ戻されて前記ユニットの固定を解除することを特徴とする請求項１のユニット固定機構。
【請求項３】
前記可動式ブラケットは、前記ベースの内面とバネで結ばれ、前記レバーの軸にフックでかけられた中継板と結ばれることを特徴とする請求項１のユニット固定機構。
【請求項４】
前記レバーは、円弧が前記ベースの外面と接する点を回転の支点とし、回転しながら軸にフックでかけられた中継板を引っ張り、中継板が前記可動式ブラケットに繋がれていることにより、前記レバーの回転で前記可動式ブラケットを引っ張り、前記レバーが半回転したとき前記レバーがロックされ、前記可動式ブラケットと前記ベースのレバー側内面とでユニットを挟み固定することを特徴とする請求項１のユニット固定機構。
【請求項５】
前記レバーを半回転させて戻すことにより、前記レバーが中継板を引っ張る力よりバネが縮む力が大きくなり、バネが前記可動式ブラケットを引っ張り、ユニットの固定が解除されることを特徴とする請求項１のユニット固定機構。
【請求項６】
前記レバーは、円弧が前記ベースの外面と接する点を回転の支点とし、回転しながら軸にフックでかけられた中継板を引っ張り、中継板が前記可動式ブラケットに繋がれていることにより、前記レバーの回転で前記可動式ブラケットを引っ張り、前記レバーが半回転したとき前記レバーがロックされ、前記可動式ブラケットと前記ベースのレバー側内面とでユニットを挟み固定し、
前記レバーを逆に半回転させて戻すことにより、前記レバーが中継板を引っ張る力よりバネが縮む力が大きくなり、バネが前記可動式ブラケットを引っ張り、ユニットの固定が解除されることを特徴とする請求項１のユニット固定機構。
【請求項７】
ベースの一方の側面に取り付けられた複数のガイドピンと、ベースの一方の側面に取り付けられたダイヤルを回すことで引き寄せられるベースの他の一方の内側に設けられた可動式ブラケットに取り付けられた複数のガイドピンとが、ユニット側面のネジ穴に水平に入り込むことにより、ユニットがベースの内面と可動式ブラケットによって固定するとともに、ベースの一方の側面にユニットを下方向から受けるように設けられた支持曲げとベースの他の一方の側面にユニットを下方向から受けるようにも受けられた支持台によりユニットを下方向で固定することを特徴とするユニット固定機構。
【請求項８】
前記ダイヤルを、ネジ山付きの回転軸と一体化し、前記可動式ブラケットをネジ山で繋ぐ構成にし、前記ダイヤルを時計回りに回し、前記可動式ブラケットをネジによって前記ダイヤル方向に引き寄せ、前記可動式ブラケットがユニットに向かって引っ張られ、前記可動式ブラケットがユニットの側面に接し、前記可動式ブラケットと前記ベースの側内面とでユニットを挟み込んで固定することを特徴とする請求項７のユニット固定機構。
【請求項９】
前記ダイヤルを反時計回りに回すと前記可動式ブラケットは元の方向へ戻り、ユニットの固定が解除されることを特徴とする請求項７のユニット固定機構。
【請求項１０】
前記ダイヤルを、ネジ山付きの回転軸と一体化し、前記可動式ブラケットをネジ山で繋ぐ構成にし、前記ダイヤルを時計回りに回し、前記可動式ブラケットをネジによって前記ダイヤル方向に引き寄せ、前記可動式ブラケットがユニットに向かって引っ張られ、前記可動式ブラケットがユニットの側面に接し、前記可動式ブラケットと前記ベースの側内面とでユニットを挟み込んで固定し、前記ダイヤルを反時計回りに回すと前記可動式ブラケットは元の方向へ戻り、ユニットの固定が解除されることを特徴とする請求項７のユニット固定機構。
【請求項１１】
ベースの一方の側面に取り付けられた複数のガイドピンと、ベースの一方の側面に取り付けられたレバーを起こすことで引き寄せられるベースの他の一方の内側に設けられた可動式ブラケットに取り付けられた複数のガイドピンとが、ユニット側面のネジ穴に水平に入り込むことにより、ユニットがベースの内面と可動式ブラケットによって固定するとともに、ベースの一方の側面にユニットを下方向から受けるように設けられた支持曲げとベースの他の一方の側面にユニットを下方向から受けるようにも受けられた支持台によりユニットを下方向で固定することを特徴とするユニット固定方法。
【請求項１２】
前記レバーを戻すことによりバネの縮む力で前記可動式ブラケットが元の位置へ戻されて前記ユニットの固定を解除することを特徴とする請求項１１のユニット固定方法。
【請求項１３】
前記可動式ブラケットは、前記ベースの内面とバネで結ばれ、前記レバーの軸にフックでかけられた中継板と結ばれることを特徴とする請求項１１のユニット固定方法。
【請求項１４】
前記レバーは、円弧が前記ベースの外面と接する点を回転の支点とし、回転しながら軸にフックでかけられた中継板を引っ張り、中継板が前記可動式ブラケットに繋がれていることにより、前記レバーの回転で前記可動式ブラケットを引っ張り、前記レバーが半回転したとき前記レバーがロックされ、前記可動式ブラケットと前記ベースのレバー側内面とでユニットを挟み固定することを特徴とする請求項１１のユニット固定方法。
【請求項１５】
前記レバーを半回転させて戻すことにより、前記レバーが中継板を引っ張る力よりバネが縮む力が大きくなり、バネが前記可動式ブラケットを引っ張り、ユニットの固定が解除されることを特徴とする請求項１１のユニット固定方法。
【請求項１６】
前記レバーは、円弧が前記ベースの外面と接する点を回転の支点とし、回転しながら軸にフックでかけられた中継板を引っ張り、中継板が前記可動式ブラケットに繋がれていることにより、前記レバーの回転で前記可動式ブラケットを引っ張り、前記レバーが半回転したとき前記レバーがロックされ、前記可動式ブラケットと前記ベースのレバー側内面とでユニットを挟み固定し、
前記レバーを逆に半回転させて戻すことにより、前記レバーが中継板を引っ張る力よりバネが縮む力が大きくなり、バネが前記可動式ブラケットを引っ張り、ユニットの固定が解除されることを特徴とする請求項１１のユニット固定方法。
【請求項１７】
ベースの一方の側面に取り付けられた複数のガイドピンと、ベースの一方の側面に取り付けられたダイヤルを回すことで引き寄せられるベースの他の一方の内側に設けられた可動式ブラケットに取り付けられた複数のガイドピンとが、ユニット側面のネジ穴に水平に入り込むことにより、ユニットがベースの内面と可動式ブラケットによって固定するとともに、ベースの一方の側面にユニットを下方向から受けるように設けられた支持曲げとベースの他の一方の側面にユニットを下方向から受けるようにも受けられた支持台によりユニットを下方向で固定することを特徴とするユニット固定方法。
【請求項１８】
前記ダイヤルを、ネジ山付きの回転軸と一体化し、前記可動式ブラケットをネジ山で繋ぐ構成にし、前記ダイヤルを時計回りに回し、前記可動式ブラケットをネジによって前記ダイヤル方向に引き寄せ、前記可動式ブラケットがユニットに向かって引っ張られ、前記可動式ブラケットがユニットの側面に接し、前記可動式ブラケットと前記ベースの側内面とでユニットを挟み込んで固定することを特徴とする請求項１７のユニット固定方法。
【請求項１９】
前記ダイヤルを反時計回りに回すと前記可動式ブラケットは元の方向へ戻り、ユニットの固定が解除されることを特徴とする請求項１７のユニット固定方法。
【請求項２０】
前記ダイヤルを、ネジ山付きの回転軸と一体化し、前記可動式ブラケットをネジ山で繋ぐ構成にし、前記ダイヤルを時計回りに回し、前記可動式ブラケットをネジによって前記ダイヤル方向に引き寄せ、前記可動式ブラケットがユニットに向かって引っ張られ、前記可動式ブラケットがユニットの側面に接し、前記可動式ブラケットと前記ベースの側内面とでユニットを挟み込んで固定し、前記ダイヤルを反時計回りに回すと前記可動式ブラケットは元の方向へ戻り、ユニットの固定が解除されることを特徴とする請求項１７のユニット固定方法。
【発明の詳細な説明】
【０００１】
【発明の属する技術分野】
本発明はファイルユニット固定方式に関し、特にネジを使用せずにファイルユニットを固定することにより、工具（ドライバー）を使用せずに、ファイルユニットの着脱を可能にするファイルユニット固定方式に関する。
【０００２】
【従来の技術】
従来のファイルユニット固定方式は、情報処理装置に使用されるファイルユニットを固定する方法として、筐体へ直接ネジ止め、あるいはブラケットへネジ止めしてから筐体へ組み込みする方法がある。
【０００３】
また、レールをファイルユニットへ取り付け、フレーム（筐体）内へスライドさせて、ロックして固定する方法もある。このレール固定方式の構成について図面を参照して説明する。
【０００４】
図７は従来のファイルユニット固定方式を示す構成図であり、図８は従来のファイルユニット固定方式の取り付けを示す構成図であり、図９は従来のファイルユニット固定方式の固定完了を示す構成図であり、そして図１０は従来のファイルユニット固定方式の取り外しを示す構成図である。
【０００５】
図７の従来のファイルユニット固定方式を示す構成図のように、ファイルユニット固定方式はレール５１をファイルユニット５０へ取り付け、フレーム５３内へスライドさせて、ロックして固定する方法である。
【０００６】
このレール５１によるファイルユニット固定方式のファイルユニット５０の取り付けの動作を図８で説明する。
【０００７】
フレーム５３は、上段曲げ５４と下段曲げ５５を有する。この上段曲げ５４と下段曲げ５５をガイドにしてレール５１をセットしスライドさせると、ファイルユニット５０はフレーム５３内へ徐々に挿入され、レール５１前方のボス５８がフレーム５３の前方端面に接触し、左右のレール５１は互いに中央方向へたわむ。
【０００８】
レール５１の前方部はレール５１の中央部と後方部に比べて、肉薄になっているのでたわませることができる。更にレール５１がフレーム５３のストッパー５６に当たるまで押し込むと、左右のレール５１の先端は外側へ戻ろうとする力が働き、ボス５８がロック穴５７へ入り込みロックされる。
【０００９】
図９が固定完了の図であり、ファイルユニット５０がフレーム５３内にボス５８がロック穴５７へ入り込むことでロックされセット固定される。
【００１０】
ファイルユニット５０をフレーム５３から取り外す手順は図１０の様に、左右のレール５１の先端を中央方向へ倒し、ロックを解除（ロック穴５７からボス５８を外す）しながら手前に引き出すだけでよい。
【００１１】
しかし、このような従来技術は、次のような問題点があった。
【００１２】
レール５１によるファイルユニット固定方式は、フレーム５３への着脱が工具を使用せずに行えるが、ファイルユニット５０へのレール５１の着脱にネジ５２を使用するため、結局のところネジ５２と工具（ドライバー）が必要になる。その場合、工具（ドライバー）を持っていないユーザーは、ファイルユニット５０の増設や交換ができない。
【００１３】
また、工具があってもネジ５２の欠品、紛失の際もファイルユニット５０の着脱ができない。
【００１４】
【発明が解決しようとする課題】
上述した従来のファイルユニット固定方式は、
第１の問題点は、工具（ドライバー）を持っていないユーザーは、ファイルユニットの増設や交換ができない。
【００１５】
その理由は、ファイルユニットと筐体との直接的な着脱、およびファイルユニットへのレールやブラケットの着脱にネジを使用するためである。
【００１６】
第２の問題点は、工具があってもネジの欠品、紛失の際もファイルユニットの着脱ができない。
【００１７】
その理由は、ファイルユニットと筐体との直接的な着脱、およびファイルユニットへのレールやブラケットの着脱にネジを使用するためである。
【００１８】
本発明の目的は、ネジと工具を使用せずにファイルユニットを固定できる方式を提供する。
【００１９】
【課題を解決するための手段】
本発明のユニット固定機構及び方法は、ベースの一方の側面に取り付けられた複数のガイドピンと、ベースの一方の側面に取り付けられたレバーを起こすことで引き寄せられるベースの他の一方の内側に設けられた可動式ブラケットに取り付けられた複数のガイドピンとが、ユニット側面のネジ穴に水平に入り込むことにより、ユニットがベースの内面と可動式ブラケットによって固定するとともに、ベースの一方の側面にユニットを下方向から受けるように設けられた支持曲げとベースの他の一方の側面にユニットを下方向から受けるようにも受けられた支持台によりユニットを下方向で固定し、レバーを戻すことによりバネの縮む力で可動式ブラケットが元の位置へ戻されてファイルユニットの固定を解除し、ガイドピンを有する可動式ブラケットは、ベースの内面とバネで結ばれ、レバーの軸にフックでかけられた中継板をフックでかけて、ファイルユニットを下方向から受ける支持台の上に設置され、ベースは外形を構成するとともに、内面にガイドピンとファイルユニットを下方向から受ける支持曲げを有し、レバーは、円弧がベースの外面と接する点を回転の支点とし、回転しながら軸にフックでかけられた中継板を引っ張り、中継板が可動式ブラケットに繋がれていることにより、レバーの回転で可動式ブラケットを引っ張り、レバーが半回転したときレバーがロックされ、可動式ブラケットとベースのレバー側内面とでファイルユニットを挟み固定し、レバーを逆に半回転させて戻すことにより、レバーが中継板を引っ張る力よりバネが縮む力が大きくなり、バネが可動式ブラケットを引っ張り、ファイルユニットの固定が解除されること、また、ダイヤルを、ネジ山付きの回転軸と一体化し、可動式ブラケットをネジ山で繋ぐ構成にし、ダイヤルを時計回りに回し、可動式ブラケットをネジによってダイヤル方向に引き寄せ、可動式ブラケットがファイルユニットに向かって引っ張られ、可動式ブラケットがファイルユニットの側面に接し、可動式ブラケットとベースの側内面とでファイルユニットを挟み込んで固定し、ダイヤルを反時計回りに回すと可動式ブラケットは元の方向へ戻り、ファイルユニットの固定が解除されることにより構成されている。
【００２０】
【発明の実施の形態】
次に、本発明の実施の形態について図面を参照して説明する。
【００２１】
図１は本発明のファイルユニット固定方式の一実施の形態を示す外観図であり、図２は本発明のファイルユニット固定方式の一実施の形態の構成を示すＡ−Ａ矢視図であり、図３は本発明のファイルユニット固定方式の一実施の形態を示す構成図である。
【００２２】
図１、図２、および３を参照すると、ガイドピン９を有する可動式ブラケット８は、ベース１の内面とバネ１０と結ばれ、またレバー４の軸５にフックでかけられた中継板６をフックでかけて、ファイルユニット１１を下方向から受ける支持台７の上に設置されている。
【００２３】
ベース１は外形を構成するとともに、内面にガイドピン３とファイルユニット１１を下方向から受ける支持曲げ２を有する。レバー４は、円弧がベース１の外面と接する点を回転の支点とし、回転しながら軸５にフックでかけられた中継板６を引っ張る。
【００２４】
中継板６は可動式ブラケット８に繋がれているので、レバー４の回転で可動式ブラケット８も引っ張られる。レバー４が１８０°回転（半回転）したときレバー４はロックされ、可動式ブラケット８とベース１のレバー４側内面とでファイルユニット１１が挟まれて固定される。
【００２５】
レバー４を逆に半回転させて元に戻すことにより、レバー４が中継板６を引っ張る力よりバネ１０が縮む力が大きくなると、バネ１０が可動式ブラケット８を引っ張り、ファイルユニット１１の固定は解除される。
【００２６】
次に、本発明の実施の形態の動作について、図４および図５を参照して詳細に説明する。
【００２７】
図４（ａ），（ｂ），（ｃ），および（ｄ）は本発明のファイルユニット固定方式の一実施の形態の動作を示す構成図である。
【００２８】
まず、図４（ａ）で示すようにファイルユニット１１をベース１の支持曲げ２と支持台７の上にのせて、図４（ｂ）で示すようにファイルユニット１１のネジ穴（図示されてない）にベース１に取り付けられたガイドピン３が入り込むようにファイルユニット１１を寄せてセットする。
【００２９】
次に、図４（ｃ）で示すようにレバー４を起こして回転させることで、中継板６を介して可動式ブラケット８がファイルユニット１１に向かって引っ張られ、図４（ｄ）で示すように可動式ブラケット８に取り付けられたガイドピン９がファイルユニット１１の側面のネジ穴（図示されてない）に入り込み、可動式ブラケット８がファイルユニット１１の側面に接し、ベース１のレバー４側内面とファイルユニット１１を挟み込んで固定され、レバー４は回転が終わるとロックされる。
【００３０】
図５は本発明のファイルユニット固定方式の固定完了の状態を示すＢ−Ｂ矢視図であが、図５のようにファイルユニット１１は固定される。
【００３１】
また、ファイルユニット１１を外す場合は、上記の逆手順を行い、バネ１０が縮む力によって可動式ブラケット８が戻ることにより、ファイルユニット１１の固定が解除される。
【００３２】
次に、本発明の第２の実施の形態について、図６を参照して詳細に説明する。
【００３３】
図６は本発明のファイルユニット固定方式の第２の一実施の形態を示す構成図である。
【００３４】
図６を参照すると、可動式ブラケット８を動作させる別の機構として、ダイヤル３０は、ネジ山３２付きの回転軸３１と一体化しており、可動式ブラケット８とネジ山３２で繋がれている。
【００３５】
ダイヤル３０を時計回りに回すと、可動式ブラケット８はネジによってダイヤル方向に引き寄せられ、可動式ブラケット８がファイルユニット１１に向かって引っ張られ、可動式ブラケット８がファイルユニット１１の側面に接し、可動式ブラケット８とベース１の側内面とでファイルユニット１１を挟み込んで固定する。
【００３６】
また、ダイヤル３０を反時計回りに回すと可動式ブラケット８は元の方向へ戻り、ファイルユニット１１の固定が解除される。
【００３７】
【発明の効果】
以上説明したように、本発明のファイルユニット固定方式は、
第１の効果は、ファイルユニットを工具（ドライバー）を使わずに着脱できる。
【００３８】
その理由は、固定のためにネジを使用していないからである。
【００３９】
第２の効果は、ネジを使用しないので、ネジ費用、設備（工具）費用、およびネジ締め工数の削減ができる。
【００４０】
その理由は、固定のためにネジを使用していないからである。
【図面の簡単な説明】
【図１】本発明のファイルユニット固定方式の一実施の形態を示す外観図である。
【図２】本発明のファイルユニット固定方式の一実施の形態の構成を示すＡ−Ａ矢視図である。
【図３】本発明のファイルユニット固定方式の一実施の形態を示す構成図である。
【図４】本発明のファイルユニット固定方式の一実施の形態の動作を示す構成図である。
【図５】本発明のファイルユニット固定方式の固定完了の状態を示すＢ−Ｂ矢視図である。
【図６】本発明のファイルユニット固定方式の第２の一実施の形態を示す構成図である。
【図７】従来のファイルユニット固定方式を示す構成図である。
【図８】従来のファイルユニット固定方式の取り付けを示す構成図である。
【図９】従来のファイルユニット固定方式の固定完了を示す構成図である。
【図１０】従来のファイルユニット固定方式の取り外しを示す構成図である。
【符号の説明】
１    ベース
２    支持曲げ
３，９    ガイドピン
４    レバー
５    軸
６    中継板
７    支持台
８    可動式ブラケット
１０    バネ
１１    ファイルユニット
３０    ダイヤル
３１    回転軸
３２    ネジ山
【図１】
0003686805.tif 000002
【図２】
0003686805.tif 000003
【図３】
0003686805.tif 000004
【図４】
0003686805.tif 000005
【図５】
0003686805.tif 000006
【図６】
0003686805.tif 000007
【図７】
0003686805.tif 000008
【図８】
0003686805.tif 000009
【図９】
0003686805.tif 000010
【図１０】
0003686805.tif 000011